(57)【要約】【課題】オンフック状態あるいはオフフック状態に関わらず、接続されている電話回線の種類を通信装置側で把握する。【解決手段】ＦＡＸ通信部１５は、モデム２１、回線電圧検出機能を備えた半導体ＤＡＡ２２、トランジスタ回路２３、整流器２４、電話回線網に接続を行うためのライン端子Ｌ１、Ｌ２等を備える。ＦＡＸ通信部１５に公衆回線網が接続される場合と、構内回線網が接続される場合と、電話回線網が接続されていない場合とで、ライン端子Ｌ１、Ｌ２の回線電圧値が変わることを利用し、半導体ＤＡＡ２２による回線電圧値の検出結果に基づき、接続される電話回線網の種別を判断し、また、ＦＡＸ通信部１５に、接続される電話回線網の種別に応じた通信機能の設定を行う。【選択図】図２
2009130524.tif 000002
【特許請求の範囲】
【請求項１】
電話回線を介して通信信号の送受信を行う送受信手段と、
前記送受信手段と前記電話回線とを接続する接続手段と、
前記電話回線から供給される回線電圧値を検出する検出手段と、
前記検出手段にて検出された前記回線電圧値に基づいて前記電話回線の種別を判断する判断手段と
を含む通信回路。
【請求項２】
前記判断手段は、前記回線電圧値が第１の電圧値以上であった場合に、前記電話回線が公衆回線であると判断することを特徴とする請求項１記載の通信回路。
【請求項３】
前記判断手段は、前記回線電圧値が前記第１の電圧値よりも低く、且つ、第２の電圧値以上であった場合に、前記電話回線が構内回線であると判断することを特徴とする請求項２記載の通信回路。
【請求項４】
前記判断手段は、前記回線電圧値が前記第２の電圧値未満であった場合に、前記電話回線に異常が生じていると判断することを特徴とする請求項３記載の通信回路。
【請求項５】
前記検出手段にて検出された前記回線電圧値に応じて前記送受信手段の通信機能を公衆回線対応または構内回線対応に設定する設定手段をさらに含むことを特徴とする請求項１ないし４のうちいずれか１項に記載の通信回路。
【請求項６】
前記設定手段は、前記回線電圧値が前記第２の電圧値未満であった場合に、前記送受信手段に前記公衆回線および前記構内回線に対応した設定を行わないことを特徴とする請求項５記載の通信回路。
【請求項７】
前記設定手段は、前記接続手段に前記電話回線が接続されるまで、前記検出手段による前記回線電圧値の検出を続行させることを特徴とする請求項５記載の通信回路。
【請求項８】
前記設定手段は、前記送受信手段の機能の設定を行った後、前記検出手段による前記回線電圧値の検出結果に基づいて前記公衆回線または前記構内回線の接続状態を監視することを特徴とする請求項５記載の通信回路。
【請求項９】
電話回線を介して通信信号の送受信を実行する機能と、
前記電話回線から供給される回線電圧値を取得する機能と、
取得した前記回線電圧値に基づき、前記電話回線の種別を判断する機能と
をコンピュータに実現させるプログラム。
【請求項１０】
前記判断する機能では、前記回線電圧値が公衆回線より供給される回線電圧値に関連付けられた第１の電圧値以上であった場合に、前記電話回線が当該公衆回線であると判断することを特徴とする請求項９記載のプログラム。
【請求項１１】
前記判断する機能では、前記回線電圧値が前記第１の電圧値よりも低く、且つ、構内回線より供給される回線電圧値に関連付けられた第２の電圧値以上であった場合に、前記電話回線が当該構内回線であると判断することを特徴とする請求項１０記載のプログラム。
【請求項１２】
前記判断する機能では、前記回線電圧値が前記第２の電圧値未満であった場合に、前記電話回線に異常が生じていると判断することを特徴とする請求項１１記載のプログラム。
【請求項１３】
電話回線を介して通信信号の送受信を行う送受信手段と、
前記送受信手段と前記電話回線とを接続する接続手段と、
前記電話回線から供給される回線電圧値を検出する検出手段と、
前記検出手段にて検出された前記回線電圧値に基づいて前記電話回線の種別または回線状態を判断する判断手段と、
前記判断手段によって判断された回線の種別または回線状態を表示する表示手段と
を含むことを特徴とする通信装置。
【発明の詳細な説明】
【技術分野】
【０００１】
本発明は、通信回路、プログラムおよび通信装置に関する。
【背景技術】
【０００２】
通信装置には、電話回線を介して画像や音声に基づく信号を送受信するための回線インタフェース回路が設けられる。近年、この種の回線インタフェース回路として、半導体化されたデータアクセス装置（以下、半導体ＤＡＡ（Data Access Arrangement）と呼ぶ）を備えたものが実用化されている。また、半導体ＤＡＡでは、接続された電話回線の回線電圧を検出する機能を備えたものが知られている（特許文献１参照）。
【０００３】
【特許文献１】特開２００５−５７６５９号公報
【発明の開示】
【発明が解決しようとする課題】
【０００４】
ところで、ファクシミリや電話機などの通信装置の接続対象となる電話回線には、例えば公衆回線や構内回線など種々のものが存在する。また、ファクシミリや電話機などの通信装置では、例えば公衆回線に接続されている場合と構内回線に接続されている場合とで、画像信号や音声信号の送信手順や受信手順について異なる設定が必要とされることがある。
【０００５】
本発明は、オンフック状態あるいはオフフック状態に関わらず、接続されている電話回線の種類を通信装置側で把握することを目的とする。
【課題を解決するための手段】
【０００６】
請求項１記載の発明は、電話回線を介して通信信号の送受信を行う送受信手段と、前記送受信手段と前記電話回線とを接続する接続手段と、前記電話回線から供給される回線電圧値を検出する検出手段と、前記検出手段にて検出された前記回線電圧値に基づいて前記電話回線の種別を判断する判断手段とを含む通信回路である。
請求項２記載の発明は、前記判断手段は、前記回線電圧値が第１の電圧値以上であった場合に、前記電話回線が公衆回線であると判断することを特徴とする請求項１記載の通信回路である。
請求項３記載の発明は、前記判断手段は、前記回線電圧値が前記第１の電圧値よりも低く、且つ、第２の電圧値以上であった場合に、前記電話回線が構内回線であると判断することを特徴とする請求項２記載の通信回路である。
請求項４記載の発明は、前記判断手段は、前記回線電圧値が前記第２の電圧値未満であった場合に、前記電話回線に異常が生じていると判断することを特徴とする請求項３記載の通信回路である。
請求項５記載の発明は、前記検出手段にて検出された前記回線電圧値に応じて前記送受信手段の通信機能を公衆回線対応または構内回線対応に設定する設定手段をさらに含むことを特徴とする請求項１ないし４のうちいずれか１項に記載の通信回路である。
請求項６記載の発明は、前記設定手段は、前記回線電圧値が前記第２の電圧値未満であった場合に、前記送受信手段に前記公衆回線および前記構内回線に対応した設定を行わないことを特徴とする請求項５記載の通信回路である。
請求項７記載の発明は、前記設定手段は、前記接続手段に前記電話回線が接続されるまで、前記検出手段による前記回線電圧値の検出を続行させることを特徴とする請求項５記載の通信回路である。
請求項８記載の発明は、前記設定手段は、前記送受信手段の機能の設定を行った後、前記検出手段による前記回線電圧値の検出結果に基づいて前記公衆回線または前記構内回線の接続状態を監視することを特徴とする請求項５記載の通信回路である。
【０００７】
請求項９記載の発明は、電話回線を介して通信信号の送受信を実行する機能と、前記電話回線から供給される回線電圧値を取得する機能と、取得した前記回線電圧値に基づき、前記電話回線の種別を判断する機能とをコンピュータに実現させるプログラムである。
請求項１０記載の発明は、前記判断する機能では、前記回線電圧値が公衆回線より供給される回線電圧値に関連付けられた第１の電圧値以上であった場合に、前記電話回線が当該公衆回線であると判断することを特徴とする請求項９記載のプログラムである。
請求項１１記載の発明は、前記判断する機能では、前記回線電圧値が前記第１の電圧値よりも低く、且つ、構内回線より供給される回線電圧値に関連付けられた第２の電圧値以上であった場合に、前記電話回線が当該構内回線であると判断することを特徴とする請求項１０記載のプログラムである。
請求項１２記載の発明は、前記判断する機能では、前記回線電圧値が前記第２の電圧値未満であった場合に、前記電話回線に異常が生じていると判断することを特徴とする請求項１１記載のプログラムである。
【０００８】
請求項１３記載の発明は、 電話回線を介して通信信号の送受信を行う送受信手段と、前記送受信手段と前記電話回線とを接続する接続手段と、前記電話回線から供給される回線電圧値を検出する検出手段と、前記検出手段にて検出された前記回線電圧値に基づいて前記電話回線の種別または回線状態を判断する判断手段と、 前記判断手段によって判断された回線の種別または回線状態を表示する表示手段とを含むことを特徴とする通信装置である。
【発明の効果】
【０００９】
請求項１記載の発明によれば、接続されている電話回線の種類を通信回路側で把握することができる。
請求項２記載の発明によれば、公衆回線に接続されていることを通信回路側で把握することが可能になる。
請求項３記載の発明によれば、構内回線に接続されていることを通信回路側で把握することが可能になる。
請求項４記載の発明によれば、接続されている電話回線に異常が生じていることを通信回路側で把握することが可能になる。
請求項５記載の発明によれば、オンフック状態あるいはオフフック状態に関わらず、接続されている電話回線の種類を通信装置側で把握し、電話回線の種類に応じた通信設定を行うことが可能になる。
請求項６記載の発明によれば、回線異常の発生が想定される公衆回線あるいは構内回線に接続を行わないことにより、送受信不良の発生を抑制することができる。
請求項７記載の発明によれば、公衆回線または構内回線が接続されたときに、直ちに通信機能の設定を行うことが可能になる。
請求項８記載の発明によれば、公衆回線または構内回線の異常発生を速やかに検出することができる。
請求項９記載の発明によれば、接続されている電話回線の種類を通信装置側で把握することができる。
請求項１０記載の発明によれば、公衆回線に接続されていることを通信装置側で把握することが可能になる。
請求項１１記載の発明によれば、構内回線に接続されていることを通信装置側で把握することが可能になる。
請求項１２記載の発明によれば、接続されている電話回線に異常が生じていることを通信装置側で把握することが可能になる。
請求項１３記載の発明によれば、構内回線に接続されている回線の種別または回線状態を通信装置の使用者が把握することが可能になる。
【発明を実施するための最良の形態】
【００１０】
以下、添付図面を参照して、本発明の一実施の形態としてファクシミリ装置に適用した場合について詳細に説明する。
図１は本実施の形態が適用される画像形成装置１０の構成を示す機能ブロック図である。この画像形成装置１０は、所謂コピー機能に加え、スキャナ機能、プリンタ機能、そしてファクシミリ機能等を備えている。
【００１１】
この画像形成装置１０は、制御部１１と、画像読み取り部１２と、印刷処理部１３と、ユーザインタフェース部１４と、ＦＡＸ通信部１５とを備えており、これらはバスライン１６を介して互いに接続されている。また、画像形成装置１０には、ＦＡＸ通信部１５を介して電話回線網１００が接続されている。ここで、電話回線網１００としては、例えば公衆回線網１１０や構内回線網１２０等が存在するが、ＦＡＸ通信部１５は、公衆回線網１１０および構内回線網１２０のいずれとも通信できるように構成されている。
【００１２】
画像形成装置１０において、制御部１１は、ＣＰＵ（Central Processing Unit）１１ａ、ＲＯＭ（Read Only Memory）１１ｂ、およびＲＡＭ（Random Access Memory）１１ｃを備えている。本実施の形態において判断手段および設定手段として機能するＣＰＵ１１ａは、ＲＯＭ１１ｂに記憶されたプログラムを読み出し、読み出したプログラムを、ＲＡＭ１１ｃと適宜データのやりとりを行いながら実行し、画像読み取り部１２、印刷処理部１３、ユーザインタフェース部１４およびＦＡＸ通信部１５を含む画像形成装置１０全体の動作を制御する。
画像読み取り部１２は、図示しない原稿に形成された画像の読み取りを行い、得られた画像信号を、バスライン１６を介して出力する。
印刷処理部１３は、画像読み取り部１２で原稿を読み取って得られた画像信号やＦＡＸ通信部１５を介して外部から受信した画像信号をバスライン１６を介して受け取り、受け取った画像信号に基づいて用紙上に画像を形成する。
表示手段として機能するユーザインタフェース部１４は、ユーザから例えばファクシミリの送信先などの要求を受け付け、また、ユーザに対するメッセージ等の表示を行う。
【００１３】
送受信手段として機能するＦＡＸ通信部１５は、例えば画像読み取り部１２で原稿を読み取って得られた画像信号に基づいて伝送信号を作成し、外部の電話回線網１００に向けて出力する。あるいは図示しないネットワークから得られた画像信号に基づいて伝送信号を作成し、外部の電話回線網１００に向けて出力してもよい。また、ＦＡＸ通信部１５は、電話回線網１００を介して外部から受け取った伝送信号に基づいて画像信号を作成し、作成した画像信号を、バスライン１６を介して出力する。ここで、本実施の形態におけるＦＡＸ通信部１５は、接続されている電話回線網１００が公衆回線網１１０であるか構内回線網１２０であるかに応じて、その通信機能の設定が変更されるようになっている。例えば公衆回線網１１０に接続されている場合、ＦＡＸ通信部１５は、オフフック後にダイヤルトーンを検出してからダイヤルを開始するように設定される。一方、例えば構内回線網１２０に接続されている場合、ＦＡＸ通信部１５は、オフフック後ダイヤルトーンの有無にかかわらず直ちにダイヤルを開始するように設定される。これは構内回線網１２０では、ダイヤルトーンを発しないタイプが存在するため、ダイヤルトーンの検出を待っていると、ダイヤルを開始することが不可能となるためである。
【００１４】
図２は、上述したＦＡＸ通信部１５の詳細な構成を説明するためのブロック図である。
ＦＡＸ通信部１５は、モデム２１、半導体ＤＡＡ（Data Access Arrangement）２２、トランジスタ回路２３、整流器２４、リレー２５、給電回路２６、絶縁トランス２７およびＬＥＤ（Light Emitting Diode）２８を備える。また、ＦＡＸ通信部１５は、電話回線網１００と接続を行う接続手段として機能する２つのライン端子Ｌ１（Ｔｉｐ）、Ｌ２（Ｒｉｎｇ）と、図示しない外付け電話と接続を行うための２つの電話端子Ｔ１、Ｔ２とをさらに備える。なお、２つのライン端子Ｌ１、Ｌ２は後述するラインコネクタＬＩＮＥを構成し、２つの電話端子Ｔ１、Ｔ２は後述する電話コネクタＴＥＬを構成する。また、このＦＡＸ通信部１５はユニット化されており、画像形成装置１０にファクシミリ機能が要求される場合に、画像形成装置１０に装着される。
【００１５】
モデム２１は、画像形成装置１０のバスライン１６、半導体ＤＡＡ２２、ＬＥＤ２８と接続される。このモデム２１は、図１に示す制御部１１に設けられたＣＰＵ１１ａによって制御される。また、モデム２１および半導体ＤＡＡ２２は、絶縁トランス２７を介して接続される。したがって、絶縁トランス２７から半導体ＤＡＡ２２側は一次側（電源側）となり、絶縁トランス２７からモデム２１側は二次側（負荷側）となる。モデム２１は、バスライン１６を介して受け取った画像信号および通信信号に変調を施して伝送信号を作成し、半導体ＤＡＡ２２に向けて送信する。また、モデム２１は、電話回線網１００から半導体ＤＡＡ２２を介して受け取った伝送信号に復調を施して画像信号を作成し、バスライン１６に向けて送信する。
【００１６】
半導体ＤＡＡ２２は、モデム２１、ライン端子Ｌ１、Ｌ２およびトランジスタ回路２３と接続される。この半導体ＤＡＡ２２は、モデム２１を介して、図１に示す制御部１１に設けられたＣＰＵ１１ａにより制御される。また、半導体ＤＡＡ２２およびライン端子Ｌ１、Ｌ２は、数ＭΩ程度の抵抗を介して接続される。半導体ＤＡＡ２２は、主に、回線終端、発呼および着呼、ファクシミリの送受信における伝送信号の受け渡しなどを行う。そして、この半導体ＤＡＡ２２は、ライン端子Ｌ１、Ｌ２間に発生する電圧すなわち電話回線網１００から供給される回線電圧を検出する機能を有している。なお、半導体ＤＡＡ２２の詳細な構成については後述する。
【００１７】
トランジスタ回路２３は、半導体ＤＡＡ２２および整流器２４と接続される。このトランジスタ回路２３では、コレクタ端子が整流器２４に、ベース端子が半導体ＤＡＡ２２にそれぞれ接続され、エミッタ端子が接地されている。
【００１８】
整流器２４は、ライン端子Ｌ１、Ｌ２、トランジスタ回路２３および接地線に接続される。この整流器２４は、ライン端子Ｌ１、Ｌ２が電話回線網１００に接続されることによって両端子間に回線電圧がかかり、且つ、トランジスタ回路２３のコレクタ−エミッタ間が導通することによって閉ループが形成された際にライン端子Ｌ１、Ｌ２間に流れる直流ループ電流の極性を一方向に整流する。
【００１９】
リレー２５は、ライン端子Ｌ１と電話端子Ｔ１とを接続する接続線およびライン端子Ｌ２と電話端子Ｔ２とを接続する接続線にそれぞれ設けられる。このリレー２５は、ライン端子Ｌ１、Ｌ２を介して電話回線網１００に接続する端末を、図１に示す画像形成装置１０あるいは電話端子Ｔ１、Ｔ２に取り付けられた外付け電話（図示せず）に切り替える際に使用される。
【００２０】
給電回路２６は、リレー２５によってライン端子Ｌ１、Ｌ２と電話端子Ｔ１、Ｔ２とが切断された際に、電話端子Ｔ１を介して外付け電話に給電を行う電源として機能する。なお、リレー２５によってライン端子Ｌ１、Ｌ２と電話端子Ｔ１、Ｔ２とが切断された際、電話端子Ｔ２側は、接地された接地線に接続されるようになっている。
また、絶縁トランス２７は、モデム２１と半導体ＤＡＡ２２との間に取り付けられており、上述した一次側と二次側とを直流分離している。
【００２１】
表示手段として機能するＬＥＤ２８は、モデム２１に接続される。このＬＥＤ２８は、モデム２１を介して図１に示す制御部１１に設けられたＣＰＵ１１ａによりその点灯動作が制御される。このＬＥＤ２８は、ライン端子Ｌ１、Ｌ２に対する回線の接続状態に応じて、点灯、点滅および消灯の３状態に設定されるが、その詳細については後述する。
【００２２】
次に、半導体ＤＡＡ２２の構成について詳細に説明する。
半導体ＤＡＡ２２は、絶縁インタフェース（Ｉ/Ｆ）３１、回線電圧検出部３２、リング信号検出部３３、オフフック／ダイヤルパルス制御部３４、インピーダンス調整部３５およびＦＡＸ送受信制御部３６を備える。なお、絶縁インタフェース（Ｉ/Ｆ）３１、回線電圧検出部３２、リング信号検出部３３、オフフック／ダイヤルパルス制御部３４、インピーダンス調整部３５およびＦＡＸ送受信制御部３６は、内部バスを介して互いに接続されている。
【００２３】
絶縁Ｉ/Ｆ３１は、絶縁トランス２７を介してモデム２１に接続されている。この絶縁Ｉ/Ｆ３１は、モデム２１との通信を行う際のインタフェースとして機能している。
【００２４】
検出手段として機能する回線電圧検出部３２は、抵抗を介してライン端子Ｌ１、Ｌ２に接続されている。この回線電圧検出部３２は、ライン端子Ｌ１、Ｌ２間に発生する電圧すなわちライン端子Ｌ１、Ｌ２が接続される電話回線網１００から供給される回線電圧の有無およびその回線電圧値を検出する機能を有している。なお、回線電圧検出部３２は、オフフック状態およびオンフック状態のいずれにおいても、回線電圧の有無および回線電圧値の検出が行えるようになっている。なお、回線電圧検出部３２による回線電圧の有無および回線電圧値の検出結果は、モデム２１に設けられたレジスタ（図示せず）に格納される。そして、本実施の形態では、制御部１１のＣＰＵ１１ａがモデム２１に設けられたレジスタを参照することで、回線電圧の有無や回線電圧値を検出している。
【００２５】
リング信号検出部３３は、抵抗を介してライン端子Ｌ１、Ｌ２に接続されている。このリング信号検出部３３は、着呼する際、ライン端子Ｌ１、Ｌ２を介して電話回線網１００からリング信号が入力された場合に、リング信号と同じサイクルでリング検出信号を出力する。
【００２６】
オフフック／ダイヤルパルス制御部３４は、トランジスタ回路２３に接続されている。このオフフック／ダイヤルパルス制御部３４は、トランジスタ回路２３を介して回線のオフクックおよびオンフックを切り替える。また、オフフック／ダイヤルパルス制御部３４は、発呼する際、電話回線網１００に向けて相手先の電話番号に対応するダイヤルパルスを出力する。
【００２７】
インピーダンス調整部３５は、トランジスタ回路２３に接続されている。このインピーダンス調整部３５は、トランジスタ回路２３に流すベース電流の大きさを適宜設定することで、ライン端子Ｌ１、Ｌ２間のインピーダンスすなわち回線の終端インピーダンスを調整する。
【００２８】
ＦＡＸ送受信制御部３６は、トランジスタ回路２３に接続されている。このＦＡＸ送受信制御部３６は、ＦＡＸ送信を行う際、絶縁Ｉ/Ｆ３１を介してモデム２１から受け取った伝送信号を、電話回線網１００に向けて出力する。また、ＦＡＸ送受信制御部３６は、ＦＡＸ受信を行う際、電話回線網１００を介して受け取った伝送信号を、絶縁Ｉ/Ｆ３１を介してモデム２１に出力する。
【００２９】
図３は、ユニット化されたＦＡＸ通信部１５の一側面を示す図である。
本実施の形態では、ＦＡＸ通信部１５のうち、図１に示す画像形成装置１０に取り付けを行った際に外部に露出する面に、電話端子Ｔ１、Ｔ２を含む電話コネクタＴＥＬおよびライン端子Ｌ１、Ｌ２を含むラインコネクタＬＩＮＥが設けられている。そして、図示しないケーブルを介してラインコネクタＬＩＮＥと図１に示す電話回線網１００とを接続することで、ファクシミリの送受信が行えるようになる。また、その上で、図示しないケーブルを介して電話コネクタＴＥＬと図示しない外付け電話とを接続することにより、外付け電話の利用が行えるようになる。また、この例では、ラインコネクタＬＩＮＥに隣接してＬＥＤ２８が配置されている。したがって、画像形成装置１０にユニット化されたＦＡＸ通信部１５を取り付けた状態で、外部からＬＥＤ２８の点灯状態が確認され得るようになっている。なお、安全性の観点から、ラインコネクタＬＩＮＥおよびＬＥＤ２８は、所定距離だけ離れて取り付けられている。
【００３０】
では、図１および図２を参照しながら、上述した画像形成装置１０におけるファクシミリの送信動作および受信動作について説明する。
まず始めに、ファクシミリの送信動作について説明する。
例えばユーザインタフェース部１４を介して相手先電話番号を含むファクシミリ送信の指示が受け付けられ、画像読み取り部１２にて送信対象となる画像の読み取りが行われると、制御部１１のＣＰＵ１１ａは、ＦＡＸ通信部１５に設けられたモデム２１を介して半導体ＤＡＡ２２に発呼を実行する指示を出す。すると、半導体ＤＡＡ２２では、オフフック／ダイヤルパルス制御部３４がトランジスタ回路２３のベース端子に所定の電流を流し、トランジスタ回路２３をオンさせる。そして、トランジスタ回路２３がオンとなることにより、トランジスタ回路２３のコレクタ端子、エミッタ端子間が導通し、ライン端子Ｌ１、Ｌ２間に電流が流れる。このようにトランジスタ回路２３に電流が流れることにより回線がオフフック状態となり、電話回線網１００側はダイヤル待ちの状態になる。
【００３１】
また、これと並行して、制御部１１のＣＰＵ１１ａは、例えば画像読み取り部１２による読み取りによって得られた画像信号に所定の通信信号を付加し、モデム２１に出力する。そして、モデム２１は、受け取った画像信号および通信信号に変調を行って伝送信号を作成し、半導体ＤＡＡ２２に設けられたＦＡＸ送受信制御部３６に向けて出力する。
【００３２】
続いて、制御部１１のＣＰＵ１１ａは、モデム２１を介して半導体ＤＡＡ２２にダイヤルを実行する指示を出す。すると、半導体ＤＡＡ２２に設けられたオフフック／ダイヤルパルス制御部３４が、相手先電話番号に応じたパルス信号を出力する。オフフック／ダイヤルパルス制御部３４から出力されたパルス信号は、ライン端子Ｌ１、Ｌ２より電話回線網１００を介して図示しない交換機に送信される。
【００３３】
そして、電話回線網１００を介して相手先のファクシミリ（図示せず）が接続されると、ＦＡＸ送受信制御部３６が、モデム２１から受け取った伝送信号を、電話回線網１００を介して相手のファクシミリに送信する。そして、ＦＡＸ送受信制御部３６が伝送信号の送信を終了すると、送信が終了したことを示す信号をオフフック／ダイヤルパルス制御部３４へと送る。これを受けて、オフフック／ダイヤルパルス制御部３４は、トランジスタ回路２３のベース端子に電流を流すのを停止し、トランジスタ回路２３をオフさせる。トランジスタ回路２３がオフとなることにより、コレクタ端子、エミッタ端子間の導通がなくなり、ライン端子Ｌ１、Ｌ２間に電流が流れなくなる。このようにトランジスタ回路２３に電流が流れなくなることにより回線はオンフック状態となり、一連の送信動作が完了する。
【００３４】
次に、画像形成装置１０におけるファクシミリの受信動作について説明する。
例えば図示しない相手先のファクシミリから電話回線網１００を介してリング信号が送られてくると、ＦＡＸ通信部１５の半導体ＤＡＡ２２に設けられたリング信号検出部３３がこのリング信号を検出し、リング信号を検出したことを示すリング検出信号をオフフック／ダイヤルパルス制御部３４へと送る。すると、オフフック／ダイヤルパルス制御部３４は、トランジスタ回路２３のベース端子に所定の電流を流し、トランジスタ回路２３をオンさせる。そして、トランジスタ回路２３がオンとなることにより、トランジスタ回路２３のコレクタ端子、エミッタ端子間が導通し、ライン端子Ｌ１、Ｌ２間に電流が流れる。このようにトランジスタ回路２３に電流が流れることにより回線がオフフック状態となり、電話回線網１００側は受信待ちの状態になる。
【００３５】
続いて、電話回線網１００を介して相手先のファクシミリが接続されると、ＦＡＸ送受信制御部３６が、電話回線網１００を介して相手先のファクシミリから送られてくる伝送信号の受信を開始する。そして、ＦＡＸ送受信制御部３６が伝送信号の受信を終了すると、受信が終了したことを示す信号をオフフック／ダイヤルパルス制御部３４へと送る。これを受けて、オフフック／ダイヤルパルス制御部３４は、トランジスタ回路２３のベース端子に電流を流すのを停止し、トランジスタ回路２３をオフさせる。トランジスタ回路２３がオフとなることにより、コレクタ端子、エミッタ端子間の導通がなくなり、ライン端子Ｌ１、Ｌ２間に電流が流れなくなる。このようにトランジスタ回路２３に電流が流れなくなることにより回線はオンフック状態となり、一連の受信動作が完了する。
【００３６】
なお、受信動作において、ＦＡＸ送受信制御部３６が受け取った伝送信号は、その後モデム２１に送られて復調される。そして、制御部１１のＣＰＵ１１ａは、復調された画像信号を、バスライン１６を介して印刷処理部１３へと送らせる。そして、印刷処理部１３は、受け取った画像信号に応じた画像を用紙上に形成して出力する。
【００３７】
では次に、ＦＡＸ通信部１５におけるＦＡＸ通信機能の設定について詳細に説明する。本実施の形態では、ＦＡＸ通信部１５の半導体ＤＡＡ２２に設けられた回線電圧検出部３２による回線電圧の検出結果を利用してＦＡＸ通信機能の設定を行っている。
図４は、ＦＡＸ通信機能の設定動作における処理の流れを示すフローチャートである。なお、この処理に関するプログラムは制御部１１のＲＯＭ１１ｂに格納されており、ＣＰＵ１１ａがＲＯＭ１１ｂから読み出したプログラムを解釈して実行する。
【００３８】
この処理は、画像形成装置１０の図示しないスイッチが投入され、電源がオンとなることにより開始される（ステップ１０１）。電源がオンされると、ＣＰＵ１１ａは、モデム２１に設けられたレジスタのうち、回線電圧の有無に関する検出機能を参照する（ステップ１０２）。そして、ＣＰＵ１１ａは、回線電圧が検出されたか否かを判断する（ステップ１０３）。なお、電話回線網１００は、故障が発生していなければ、ＦＡＸ通信部１５に設けられたライン端子Ｌ１、Ｌ２に所定の回線電圧を供給している。
【００３９】
ステップ１０３において回線電圧が検出された場合、ＣＰＵ１１ａは、モデム２１に設けられたレジスタのうち、回線電圧値に関する検出機能を参照し（ステップ１０４）、回線電圧値ＶＬを取得する。次に、ＣＰＵ１１ａは、取得した回線電圧値ＶＬが第１の電圧値Ｖ１以上であるか否かを判断する（ステップ１０５）。ここで、第１の電圧値Ｖ１は公衆回線網１１０における回線電圧値（４８Ｖ）よりもわずかに低い値（例えば４０Ｖ）に設定される。
【００４０】
ステップ１０５において回線電圧値ＶＬが第１の電圧値Ｖ１以上であった場合は、ＦＡＸ通信部１５が公衆回線網１１０に接続されているものと判断される。このため、ＣＰＵ１１ａは、ＦＡＸ通信部１５に制御信号を送出し、そのＦＡＸ通信機能を公衆回線用に設定させる（ステップ１０６）。また、ＣＰＵ１１ａは、ＦＡＸ通信部１５に設けられたＬＥＤ２８にも制御信号を送出し、ＬＥＤ２８を点灯させる（ステップ１０７）。その後、ＣＰＵ１１ａは、ユーザインタフェース部１４に、例えば「公衆回線に接続しました。」などのメッセージを表示させ（ステップ１０８）、一連の処理を終了する。
【００４１】
一方、ステップ１０５において回線電圧値ＶＬが第１の電圧値Ｖ１未満であった場合、ＣＰＵ１１ａは、この回線電圧値ＶＬが第２の電圧値Ｖ２以上であるか否かを判断する（ステップ１０９）。ここで、第２の電圧値Ｖ２は第１の電圧値Ｖ１よりも低い例えば２５Ｖ程度に設定される。
【００４２】
ステップ１０９において回線電圧値ＶＬが第２の電圧値Ｖ２以上であった場合は、ＦＡＸ通信部１５が構内回線網１２０に接続されているものと判断される。このため、ＣＰＵ１１ａは、ＦＡＸ通信部１５に制御信号を送出し、そのＦＡＸ通信機能を構内回線用に設定させる（ステップ１１０）。続いて、ＣＰＵ１１ａは、ＦＡＸ通信部１５に設けられたＬＥＤ２８にも制御信号を送出し、ＬＥＤ２８を点灯させる（ステップ１０７）。その後、ＣＰＵ１１ａは、ユーザインタフェース部１４に、例えば「構内回線に接続しました。」などのメッセージを表示させ（ステップ１０８）、一連の処理を終了する。
【００４３】
他方、ステップ１０９において回線電圧値ＶＬが第２の電圧値Ｖ２未満であった場合は、ＦＡＸ通信部１５が電話回線網１００（公衆回線網１１０あるいは構内回線網１２０）に接続されているものの、その回線に異常が生じているものと判断される。このため、ＣＰＵ１１ａは、ＦＡＸ通信部１５に設けられたＬＥＤ２８に制御信号を送出し、ＬＥＤ２８を点滅させる（ステップ１１１）。次いで、ＣＰＵ１１ａは、ＦＡＸ通信部１５に制御信号を送出し、そのＦＡＸ通信機能を無効に設定させる（ステップ１１２）。その後、ＣＰＵ１１ａは、ユーザインタフェース部１４に、例えば「回線に異常が発生してます。」などのメッセージを表示させ（ステップ１０８）、一連の処理を終了する。
【００４４】
また、ステップ１０３において回線電圧が検出されなかった場合は、ＦＡＸ通信部１５が電話回線網１００（公衆回線網１１０および構内回線網１２０）に接続されていないものと判断される。このため、ＣＰＵ１１ａは、ＦＡＸ通信部１５に設けられたＬＥＤ２８に制御信号を送出し、ＬＥＤ２８を消灯させる（ステップ１１３）。次いで、ＣＰＵ１１ａは、ＦＡＸ通信部１５に制御信号を送出し、そのＦＡＸ通信機能を無効に設定させる（ステップ１１２）。その後、ＣＰＵ１１ａは、ユーザインタフェース部１４に、例えば「回線が接続されていません。」などのメッセージを表示させ（ステップ１０８）、一連の処理を終了する。
【００４５】
ただし、上記処理において回線の接続が検知できなかった場合、ＣＰＵ１１ａは、所定の時間が経過した後に再び上記ステップ１０２から処理を再開する。したがって、ＦＡＸ通信部１５に公衆回線網１１０あるいは構内回線網１２０が接続されたことが検出されるまで、具体的には、第２の電圧値Ｖ２以上の回線電圧値ＶＬが検出されるまで、この処理は繰り返し行われる。
【００４６】
また、この画像形成装置１０では、電源をオンした際にＦＡＸ機能の設定が行われるだけでなく、その後も回線電圧の検出を行うことで、ＦＡＸ通信部１５が接続される電話回線網１００の監視を行っている。
図５は、通常時の回線電圧の監視動作における処理の流れを示すフローチャートである。なお、この処理に関するプログラムも制御部１１のＲＯＭ１１ｂに格納されており、ＣＰＵ１１ａがＲＯＭ１１ｂから読み出したプログラムを解釈して実行する。
【００４７】
この処理では、まず、ＣＰＵ１１ａが所定時間経過したか否かを判断する（ステップ２０１）。ここで、所定時間が経過していない場合はステップ２０１に戻る。
一方、所定時間が経過していた場合、ＣＰＵ１１ａは、モデム２１に設けられたレジスタのうち、回線電圧の有無に関する検出機能を参照する（ステップ２０２）。そして、ＣＰＵ１１ａは、回線電圧が検出されたか否かを判断する（ステップ２０３）。
【００４８】
ステップ２０３において回線電圧が検出された場合、ＣＰＵ１１ａは、画像形成装置１０の電源がオフに設定されたか否かを判断する（ステップ２０４）。ここで、電源がオフに設定された場合には一連の処理を終了し、電源がオンのままである場合にはステップ２０１に戻って処理を続行する。
【００４９】
一方、ステップ２０３において回線電圧が検出されなかった場合、ＣＰＵ１１ａは、ＦＡＸ通信部１５に設けられたＬＥＤ２８に制御信号を送出し、ＬＥＤ２８を消灯させる（ステップ２０５）。次いで、ＣＰＵ１１ａは、ユーザインタフェース部１４に、例えば「回線が接続されていません。」などのメッセージを表示させ（ステップ２０６）、ステップ２０４へと移行する。
【００５０】
なお、本実施の形態では、半導体ＤＡＡ２２に設けられた回線電圧検出部３２による回線電圧値の検出結果に基づき、ＦＡＸ通信部１５に接続される電話回線網１００の種類（公衆回線網１１０あるいは構内回線網１２０）に応じて、自動的にＦＡＸ通信部１５の通信機能の設定を行うようにしていたが、これに限られるものではない。例えば回線電圧値の検出結果に基づき、ＦＡＸ通信部１５が接続されている電話回線網１００の種類を判断し、その判断結果（公衆回線網１１０に接続されている、構内回線網１２０に接続されている、どちらにも接続されていない、など）をユーザインタフェース部１４に表示させるようにしてもよい。
【００５１】
また、これまでに記載した実施の形態は、図１の画像形成装置１０におけるＣＰＵ１１ａ、ＲＯＭ１１ｂ、ＲＡＭ１１ｃから構成されるコンピュータによって機能を実現させるプログラムによって実施しても良い。その際、プログラムはＲＯＭ１１ｂ等に記憶する例が挙げられるが、当該プログラムをＣＤ−ＲＯＭ等の記録媒体に格納して提供することも可能である。
これまでに述べた本発明の実施形態は主にファクシミリに適用したものであったが、画像信号を通信信号に置き換えた電話機等の通信装置に適用できることはいうまでもない。
【図面の簡単な説明】
【００５２】
【図１】ファクシミリ機能を備えた画像形成装置の構成を示す機能ブロック図である。
【図２】ＦＡＸ通信部の詳細な構成を説明するためのブロック図である。
【図３】ユニット化されたＦＡＸ通信部の一側面を示す図である。
【図４】ＦＡＸ通信機能の設定動作における処理の流れを示すフローチャートである。
【図５】通常時の回線電圧の監視動作における処理の流れを示すフローチャートである。
【符号の説明】
【００５３】
１０…画像形成装置、１１…制御部、１２…画像読み取り部、１３…印刷処理部、１４…ユーザインタフェース部、１５…ＦＡＸ通信部、１６…バスライン、２１…モデム、２２…半導体ＤＡＡ、２３…トランジスタ回路、２４…整流器、２５…リレー、２６…給電回路、２７…絶縁トランス、２８…ＬＥＤ、３１…絶縁Ｉ/Ｆ、３２…回線電圧検出部、３３…リング信号検出部、３４…オフフック／ダイヤルパルス制御部、３５…インピーダンス調整部、３６…ＦＡＸ送受信制御部、１００…電話回線網、１１０…公衆回線網、１２０…構内回線網、ＶＬ…回線電圧値、Ｖ１…第１の電圧値、Ｖ２…第２の電圧値
【図１】
2009130524.tif 000003
【図２】
2009130524.tif 000004
【図３】
2009130524.tif 000005
【図４】
2009130524.tif 000006
【図５】
2009130524.tif 000007